(57)【要約】【課題】  建物の居住者がその居住者の顔や年齢、性別等の情報を知られることなく建物の訪問者に応答することができ、また、その居住者が外出中である場合でも建物の訪問者に応答することができるインターホン応答システム及び方法を提供する。【解決手段】  インターホン親機１に設けられ、居住者以外の動物や人のアニメーションの映像及び音声についての情報を記憶する記憶手段１６と、呼出手段２５から信号を受信した場合に、記憶手段１６に記憶されている映像及び音声、又は、インターホン親機１から入力される映像及び音声を選択する指示入力手段１９を有する。そして、指示入力手段１９により選択された映像及び音声を表示手段２１及び音声入出力手段２４から出力する。【選択図】  図１
2006319618.tif 000002
【特許請求の範囲】
【請求項１】
居住者に訪問者の訪問を通知するための呼出手段、映像及び音声を出力する出力手段を有する子機と、前記子機に入力される訪問者の映像及び音声を出力する親機とからなるインターホン応答システムであって、
前記親機に設けられ、前記居住者以外の動物や人のアニメーションの映像及び音声についての情報を記憶する記憶手段と、
前記呼出手段から信号を受信した場合に、前記記憶手段に記憶されている映像及び音声、又は、前記親機から入力される映像及び音声を選択する選択手段とを有し、
前記選択手段により選択された映像及び音声を前記出力手段から出力することを特徴とするインターホン応答システム。
【請求項２】
居住者に訪問者の訪問を通知するための呼出手段、映像及び音声を出力する出力手段を有する子機と、前記子機に入力される訪問者の映像及び音声を出力する親機と、前記訪問者が所持する携帯端末とからなるインターホン応答システムであって、
前記親機に設けられ、前記居住者以外の動物や人のアニメーションの映像及び音声についての情報を記憶する記憶手段と、
前記呼出手段から信号を受信した場合に、前記記憶手段に記憶されている映像及び音声、又は、前記携帯端末から入力される映像及び音声を選択する選択手段とを有し、
前記選択手段により選択された映像及び音声を前記出力手段から出力することを特徴とするインターホン応答システム。
【請求項３】
居住者に訪問者の訪問を通知するための呼出手段、映像及び音声を出力する出力手段を有する子機と、前記子機に入力される訪問者の映像及び音声を出力する親機を利用したインターホン応答方法であって、
前記親機に設けられる記憶手段に、前記居住者以外の動物や人のアニメーションの映像及び音声についての情報を記憶する第１のステップと、
前記呼出手段から信号を受信した場合に、前記記憶手段に記憶されている映像及び音声、又は、前記親機から入力される映像及び音声を選択する第２のステップと、
前記第２のステップで選択された映像及び音声を前記出力手段から出力する第３のステップと、
を有することを特徴とするインターホン応答方法。
【請求項４】
居住者に訪問者の訪問を通知するための呼出手段、映像及び音声を出力する出力手段を有する子機と、前記子機に入力される訪問者の映像及び音声を出力する親機と、前記訪問者が所持する携帯端末を利用したインターホン応答方法であって、
前記親機に設けられる記憶手段に、前記居住者以外の動物や人のアニメーションの映像及び音声についての情報を記憶する第１のステップと、
前記呼出手段から信号を受信した場合に、前記記憶手段に記憶されている映像及び音声、又は、前記携帯端末から入力される映像及び音声を選択する第２のステップと、
前記第２のステップで選択された映像及び音声を前記出力手段から出力する第３のステップと、
を有することを特徴とするインターホン応答方法。
【発明の詳細な説明】
【技術分野】
【０００１】
本発明は、建物の居住者がその居住者の情報を知られることなく、また、その居住者が外出中である場合でも建物の訪問者に応答することができるインターホン応答システム及び方法に関する。
【背景技術】
【０００２】
従来から、防犯等の目的のため、建物への訪問者をその建物外に取り付けたカメラで予め撮影し、建物内のディスプレイで確認するインターホンの技術が知られている。このインターホンは、建物内に設置する親機と建物外に設置する子機を無線や有線で接続し、居住者が訪問者と直接顔を会わせることなく応答ができるようにするものである。
また、画像の情報を予めインターホンの親機に保存しておき、その保存された画像の情報に基づく画像を、建物外に設置したディスプレイにより再表示させるドアホン装置に関する技術が知られている（特許文献１参照）。
更に、最近では、携帯電話の普及によりインターホンと携帯電話を所定のネットワークで接続し、その携帯電話により遠隔操作を行うことによって、訪問者との応対を行うテレビドアホンシステムについての技術が知られている（特許文献２参照）。
【特許文献１】特開２００５−３９８６１号公報
【特許文献２】特開２００４−２３６０８３号公報
【発明の開示】
【発明が解決しようとする課題】
【０００３】
しかしながら、特許文献１に記載されているドアホン装置では、インターホン親機に保存する画像は居住者についてのものであったため、その画像を利用して訪問者と応答を行うと、訪問者に居住者の容姿等が知られてしまい、盗難等のセキュリティ上望ましくないという問題があった。
また、特許文献２に記載されているテレビドアホンシステムでは、住居への訪問者の顔等の画像を、居住者の携帯電話のディスプレイに表示させて確認することは可能であったが、携帯電話の無線通信を利用して訪問者に対して応答を行うと、その居住者の顔、年齢、性別等が訪問者に知られてしまい、セキュリティ上望ましくないという問題があった。
【０００４】
本発明は、上記事情に鑑みてなされたものであり、その目的は、建物の居住者がその居住者の顔や年齢、性別等の情報を知られることなく建物の訪問者に応答することができ、また、その居住者が外出中である場合でも建物の訪問者に応答することができるインターホン応答システム及び方法を提供することにある。
【課題を解決するための手段】
【０００５】
本発明は、上記課題を解決するためになされたもので、請求項１に記載の発明は、居住者に訪問者の訪問を通知するための呼出手段、映像及び音声を出力する出力手段を有する子機と、前記子機に入力される訪問者の映像及び音声を出力する親機とからなるインターホン応答システムであって、前記親機に設けられ、前記居住者以外の動物や人のアニメーションの映像及び音声についての情報を記憶する記憶手段と、前記呼出手段から信号を受信した場合に、前記記憶手段に記憶されている映像及び音声、又は、前記親機から入力される映像及び音声を選択する選択手段とを有し、前記選択手段により選択された映像及び音声を前記出力手段から出力することを特徴とするインターホン応答システムである。
【０００６】
また、請求項２に記載の発明は、居住者に訪問者の訪問を通知するための呼出手段、映像及び音声を出力する出力手段を有する子機と、前記子機に入力される訪問者の映像及び音声を出力する親機と、前記訪問者が所持する携帯端末とからなるインターホン応答システムであって、前記親機に設けられ、前記居住者以外の動物や人のアニメーションの映像及び音声についての情報を記憶する記憶手段と、前記呼出手段から信号を受信した場合に、前記記憶手段に記憶されている映像及び音声、又は、前記携帯端末から入力される映像及び音声を選択する選択手段とを有し、前記選択手段により選択された映像及び音声を前記出力手段から出力することを特徴とするインターホン応答システムである。
【０００７】
また、請求項３に記載の発明は、居住者に訪問者の訪問を通知するための呼出手段、映像及び音声を出力する出力手段を有する子機と、前記子機に入力される訪問者の映像及び音声を出力する親機を利用したインターホン応答方法であって、前記親機に設けられる記憶手段に、前記居住者以外の動物や人のアニメーションの映像及び音声についての情報を記憶する第１のステップと、前記呼出手段から信号を受信した場合に、前記記憶手段に記憶されている映像及び音声、又は、前記親機から入力される映像及び音声を選択する第２のステップと、前記第２のステップで選択された映像及び音声を前記出力手段から出力する第３のステップとを有することを特徴とするインターホン応答方法である。
【０００８】
また、請求項４に記載の発明は、居住者に訪問者の訪問を通知するための呼出手段、映像及び音声を出力する出力手段を有する子機と、前記子機に入力される訪問者の映像及び音声を出力する親機と、前記訪問者が所持する携帯端末を利用したインターホン応答方法であって、前記親機に設けられる記憶手段に、前記居住者以外の動物や人のアニメーションの映像及び音声についての情報を記憶する第１のステップと、前記呼出手段から信号を受信した場合に、前記記憶手段に記憶されている映像及び音声、又は、前記携帯端末から入力される映像及び音声を選択する第２のステップと、前記第２のステップで選択された映像及び音声を前記出力手段から出力する第３のステップとを有することを特徴とするインターホン応答方法である。
【発明の効果】
【０００９】
本発明では、子機で出力する映像や音声の情報を、親機等の指示入力手段から与えられる指示に基づいて、選択できるようにした。
これにより、建物の居住者は、訪問者に顔や声を知られずに、応答することができる。また、居住者が外出中で建物内にいない場合であっても、訪問者に外出中であることを知られることなく応答することができる。
【発明を実施するための最良の形態】
【００１０】
以下、図面を参照し、本発明の実施形態によるインターホン応答システムについて説明する。
図１は、本発明の第１の実施形態によるインターホン応答システムの構成を示すブロック図である。このインターホン応答システムは、インターホン親機１、インターホン子機２を有する。このインターホン応答システムは、インターホン親機１が建物１０内に設置され、インターホン子機２が玄関前や門等の建物１０外に設置される。
【００１１】
インターホン親機１は、表示手段１１、親子機間送受信手段１２、画像処理手段１４、音声処理手段１５、記憶手段１６、撮像手段１７、音声入出力手段１８、指示入力手段１９を有する。表示手段１１は、ＬＣＤ（Liquid Crystal Display）等の表示装置であり、インターホン子機２の撮像手段２３が撮像する建物１０への訪問者の顔の映像等を表示する。これにより、居住者は、建物１０を訪ねてきた訪問者が誰であるかについて確認することができる。親子機間送受信手段１２は、インターホン子機２の親子機間送受信手段２２との間で有線又は無線によりデータの送受信を行う。
【００１２】
画像処理手段１４は、指示入力手段１９から入力される指示に基づいて、撮像手段１７で撮像する映像、又は、記憶手段１６に予め記録されている映像を、インターホン子機２の表示手段２１に表示する。音声処理手段１５は、指示入力手段１９から入力される指示に基づいて、音声入出力手段１８から入力される音声、又は、記憶手段１６に予め記録されている音声を、インターホン子機２の音声入出力手段２４から出力する。
記憶手段１６は、居住者以外の動物や人のアニメーション等の映像や、合成音声などの情報を予め記録する。撮像手段１７は、カメラ等により構成され、建物１０内の居住者の顔等の映像を撮像する。また、記憶手段１６に記憶される映像は、容易に居住者を連想するものでなければ、アニメーションに限らず静止画でもよく、風景画像等であってもよい。
【００１３】
音声入出力手段１８は、マイクやスピーカ等から構成され、建物１０内の居住者の音声をマイクにより取得したり、インターホン子機２の音声入出力手段２４で取得された訪問者の音声をスピーカから出力するものである。
指示入力手段１９は、０から９までの数字から構成されるテンキーを備える。テンキーの他にも、表示手段２１で表示する映像を選択するための映像選択ボタンや、音声入出力手段２４から出力する音声を選択するための音声選択ボタン等を設けてもよい。建物１０内にいる居住者は、この指示入力手段１９を操作することにより、インターホン親機１に対して指示を与える。なお、指示入力手段１９をタッチ式パネルとして、表示手段１１に表示して、居住者が表示手段１１に触れることにより、指示を与えるようにしてもよい。インターホン子機２は、表示手段２１、親子機間送受信手段２２、撮像手段２３、音声入出力手段２４、呼出手段２５を有する。
【００１４】
表示手段２１は、ＬＣＤ等の表示装置であり、インターホン親機１の撮像手段１７が撮像する建物１０にいる居住者の顔の映像や、記憶手段１６から読み出される居住者以外の動物や人のアニメーション等の映像を表示する。
親子機間送受信手段２２は、インターホン親機１の親子機間送受信手段１２との間で有線又は無線によりデータの送受信を行う。撮像手段２３は、カメラ等により構成され、建物１０外の訪問者の顔等を撮像する。
音声入出力手段２４は、マイクやスピーカ等から構成され、建物１０外の訪問者の音声をマイクにより取得する。呼出手段２５は、ボタン等により構成される。訪問者が呼出手段２５のボタンを押すことにより、呼出信号がインターホン親機１に送信される。インターホン親機１は、呼出信号を受信した場合には、建物１０内のチャイム等を鳴らす等の処理を行う。
【００１５】
図２は、本実施形態によるインターホン応答システムの処理の流れを示すフローチャートである。まず、建物１０を訪ねてきた訪問者により、インターホン子機２の呼出手段２５のボタンが押下されると、インターホン子機２からインターホン親機１に対して呼出信号が送信される（ステップＳ１１）。これにより、チャイム等がなり、訪問者が訪ねてきたことが居住者に通知される。
撮像手段２３は、訪問者の顔等の映像を撮像し、その映像の情報を親子機間送受信手段２２から、親子機間送受信手段１２へ送信し、表示手段１１に訪問者の顔等の映像を表示する（ステップＳ１２）。
【００１６】
居住者は、表示手段２１で表示する映像を「撮像手段１７で撮像している映像」とするか、「記憶手段１６に記録されている映像」とするかについて、指示入力手段１９から指示を与える（ステップＳ１３）。画像処理手段１４は、指示入力手段１９により与えられた指示に基づき映像の情報を取得し、親子機間送受信手段１２を介して、インターホン子機２に対して送信する。これにより、表示手段２１の表示画面には、指示入力手段１９で与えられた指示による映像が表示される。
また、居住者は、音声入出力手段２４から出力する音声を「音声入出力手段１８で取得する音声」とするか、「記憶手段１６に記録されている音声」とするかについて、指示入力手段１９から指示を与える（ステップＳ１４）。音声処理手段１５は、指示入力手段１９により与えられた指示に基づき音声の情報を取得し、親子機間送受信手段１２を介して、インターホン子機３に対して送信する。これにより、音声入出力手段２４のスピーカからは、指示入力手段１９で与えられた指示による音声が出力される。
ステップＳ１１〜Ｓ１４で行われた処理に基づいて、建物１０内にいる居住者と、建物１０外にいる訪問者との通話が開始される（ステップＳ１５）。
【００１７】
図３は、本実施形態によるインターホン応答システムの利用例を示す図である。建物１０内にいる居住者４と、建物１０を訪れた訪問者５は、それぞれインターホン親機１、インターホン子機２を介して通話を行う。居住者４は、撮像手段２３により撮像される訪問者の顔等の映像５ａを、表示手段１１によって確認することにより、訪問者が誰であるのかを確認することができる。
一方、訪問者５が視聴する表示手段２１には、状況に応じて異なった映像や音声が出力される。例えば、居住者４が表示手段２１に「パターンＡ」の映像を表示させることを、指示入力手段１９により選択した場合には、訪問者５が視聴する表示手段２１には何も表示しない。これにより、居住者４と訪問者５の間では、音声入出力手段２４から入出力される音声のみによる通話が行われる。
【００１８】
一方、居住者４が表示手段２１に「パターンＢ」の映像を表示させることを、指示入力手段１９により選択した場合、訪問者５が視聴する表示手段２１には、撮像手段１７により撮像される居住者の顔等の映像４ａが表示される。これにより、居住者４と訪問者５の間では、双方の顔と声を確認しながら通話を行うことができる。
一方、居住者４が表示手段２１に「パターンＣ」の映像を表示させることを、指示入力手段１９により選択した場合には、訪問者５が視聴する表示手段２１に、予め記憶手段１６に記録してある居住者以外の動物や人のアニメーション等の映像６ａが表示される。これにより、居住者４は訪問者５の顔と声を確認しながら、訪問者５には居住者４の顔を知られることなく通話を行うことができる。
【００１９】
なお、上述した図３の「パターンＡ」、「パターンＢ」、「パターンＣ」の場合において、居住者４の声をそのまま音声入出力手段２４から出力すると、居住者４の年齢や性別等が訪問者５に知られる可能性が大きいため、音声処理手段１５によって居住者４の音声を合成音声に加工して出力することもできる。また、予め記憶手段１６に別人の音声を記録しておき、居住者が指示入力手段１９によりその別人の音声を選択して、音声入出力手段２４から出力することにより、訪問者５と通話を行うこともできる。
【００２０】
上述したように本実施形態によれば、例えば、訪問者５が知り合いである場合には、居住者４は撮像手段１７で撮像される居住者４の顔の映像を表示手段２１に表示することにより、居住者４も訪問者５もお互いの顔や声を確認しながら通話を行うことができる。
一方、訪問者５がセールスマン等の他人である場合には、居住者４は記憶手段１６に記録されている居住者以外の動物や人のアニメーション６ａ等の映像を表示手段２１に表示させることにより、居住者４は訪問者５の顔や声を確認しながら、訪問者５には居住者４の顔や声を知られることなく通話を行うことができる。よって、本実施形態によるインターホン応答システムを利用すれば、防犯等のためのセキュリティを向上させることができる。
【００２１】
次に、本発明の第２の実施形態によるインターホン応答システムについて説明する。
図４は、本実施形態によるインターホン応答システムの構成を示すブロック図である。本実施形態が第１の実施形態（図１参照）と同じ構成を採る部分については、同一の符号を付してその説明を省略する。このインターホン応答システムは、インターホン親機１、インターホン子機２、携帯端末３を有する。携帯端末３は、居住者が外出時に所持する携帯電話やＰＤＡ（Personal Digital Assistants）等の端末である。
インターホン親機１は、携帯端末３と通信を行う通信手段１３を有する点において、第１の実施形態によるインターホン親機１と相違する。また、記憶手段１６は、携帯端末３の電話番号を記録している。
【００２２】
携帯端末３は、表示手段３１、撮像手段３２、音声入出力手段３３、通信手段３４、携帯電話機能部３５を有する。表示手段３１は、ＬＣＤ等の表示装置であり、携帯端末３に電話を掛けてきた相手の電話番号や時刻等の情報を表示する。
撮像手段３２は、携帯端末３に内蔵される小型カメラ等により構成され、居住者の顔等の映像を撮像する。音声入出力手段３３は、マイクやスピーカ等から構成され、居住者が電話で通話する際の音声をマイクにより取得したり、電話の通話相手の音声をスピーカから出力したりする。
通信手段３４は、携帯端末３のネットワークを介して、インターホン親機１の通信手段１３との間で通信を行う。携帯電話機能部３５は、携帯端末３を携帯電話として利用する場合において、通話を行う際の発信機能や着信機能等を実現する。
携帯端末３の表示手段３１に表示される画面の表示に従って携帯電話機能部３５を操作することにより、携帯端末３の撮像手段３２及び音声入出力手段３３から入力される映像及び音声が、インターホン親機１を介してインターホン子機２へ送信され、インターホン子機２の表示手段２１及び音声入出力手段２４からその映像及び音声が出力される。また、インターホン子機２の撮像手段２３及び音声入出力手段２４から入力される映像及び音声が、インターホン親機１を介して携帯端末３へ送信され、携帯端末３の表示手段３１及び音声入出力手段３３からその映像及び音声が出力される。
【００２３】
図５は、本実施形態によるインターホン応答システムの処理の流れを示すフローチャートである。始めに、建物１０を訪ねてきた訪問者により、インターホン子機２の呼出手段２５のボタンが押下されると、インターホン子機２からインターホン親機１に対して呼出信号が送信される（ステップＳ２１）。これにより、チャイム等が鳴り、訪問者が訪ねてきたことが居住者に通知される。
撮像手段２３は、訪問者の顔等の映像を撮像し、その映像の情報を親子機間送受信手段２２から、親子機間送受信手段１２へ送信する。通信手段１３は、記憶手段１６の記憶手段１６に記録されている携帯端末３の電話番号の情報に基づいて、その映像の情報を携帯端末３のネットワークを介して携帯端末３に送信する（ステップＳ２２）。
【００２４】
表示手段３１は、訪問者の顔等の映像を表示する（ステップＳ２３）。居住者は、表示手段２１で表示する映像を「撮像手段３２で撮像している映像」とするか、「記憶手段１６に記録されている映像」とするかについて、携帯電話機能部３５のボタンを押下することにより指示を与える（ステップＳ２４）。
また、居住者は、音声入出力手段２４から出力する音声を「音声入出力手段３３で取得する音声」とするか、「記憶手段１６に記録されている音声」とするかについて、携帯電話機能部３５から指示を与える（ステップＳ２５）。ステップＳ２４及びＳ２５で与えられた指示の情報は、通信手段３４によりネットワークを介してインターホン親機１に対して送信される（ステップＳ２６）。
【００２５】
画像処理手段１４は、携帯電話機能部３５により与えられた指示に基づいて、撮像手段３２が撮像する映像、又は、記憶手段１６に記憶されている映像の情報を、親子機間送受信手段１２を介して、インターホン子機３に送信する。これにより、表示手段２１の表示画面には、携帯電話機能部３５で指示された映像が表示される。
また、音声処理手段１５は、携帯電話機能部３５により与えられた指示に基づいて、音声入出力部３３又は記憶手段１６から、居住者の音声の情報を取得し、親子機間送受信手段１２を介して、インターホン子機３に送信する。これにより、音声入出力手段２４のスピーカからは、指示入力手段１９で指示された音声が出力される。
ステップＳ２１〜Ｓ２６で行われた処理に基づいて、外出している居住者と、建物１０外にいる訪問者との通話が開始される（ステップＳ２７）。
【００２６】
図６は、本実施形態によるインターホン応答システムの利用例を示す図である。建物１０内にいる居住者４と、建物１０を訪れた訪問者５は、携帯端末３とインターホン子機２間で、インターホン親機１を介して通話を行う。居住者４は、撮像手段２３により撮像される訪問者の顔等の映像５ｂを、表示手段３１によって確認することにより、訪問者が誰であるのかを確認することができる。
表示手段２１に表示させる「パターンＤ」、「パターンＥ」、「パターンＦ」の映像の表示方法については、図３と同様であるのでその説明を省略する。表示手段２１で「パターンＤ」、「パターンＥ」、「パターンＦ」のいずれを表示手段２１で表示するのかについての指示を、インターホン親機１の指示入力手段１９から与えるのではなく、携帯端末３の携帯電話機能部３５から与える点が図３の場合と相違している。
【００２７】
上述したように本実施形態によれば、居住者が外出しており建物１０内にいない場合であっても、携帯端末３を利用して、建物１０の訪問者と応答することができる。このため、建物１０内に誰もいない場合であっても、インターホン子機２の表示手段２１に「パターンＥ」に示すように、携帯端末３の撮像手段３２により撮像した居住者の顔の映像４ｂを表示させることができるため、建物１０内に居住者４が不在であることを訪問者に知られることなく応対することができる。
また、インターホン子機２の表示手段２１に「パターンＦ」に示すように、記憶手段１６に記録されている居住者以外の動物や人のアニメーション６ｂ等の映像を表示させることができるため、建物１０内に居住者がいるのか否か、建物１０の居住者がどのような人物であるのか（年齢、性別等）についての情報を訪問者に知られることなく応対することもできる。よって、本実施形態によるインターホン応答システムを利用すれば、防犯等のセキュリティを向上させることができる。
【００２８】
なお、以上説明した実施形態において、図１、図４の画像処理手段１４、音声処理手段１５、指示入力手段１９、入力手段２５等の機能を実現するためのプログラムをコンピュータ読み取り可能な記録媒体に記録して、この記録媒体に記録されたプログラムをコンピュータシステムに読み込ませ、実行することによりインターホン応答システムの制御を行ってもよい。なお、ここでいう「コンピュータシステム」とは、ＯＳや周辺機器等のハードウェアを含むものとする。
【００２９】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００３０】
【図１】本発明の第１の実施形態によるインターホン応答システムの構成を示すブロック図である。
【図２】本実施形態によるインターホン応答システムの処理の流れを示すフローチャートである。
【図３】本実施形態によるインターホン応答システムの利用例を示す図である。
【図４】本発明の第２の実施形態によるインターホン応答システムの構成を示すブロック図である。
【図５】本実施形態によるインターホン応答システムの処理の流れを示すフローチャートである。
【図６】本実施形態によるインターホン応答システムの利用例を示す図である。
【符号の説明】
【００３１】
１・・・インターホン親機、２・・・インターホン子機、３・・・携帯端末、４・・・居住者、５・・・訪問者、１１・・・表示手段、１２・・・親子機間送受信手段、１３・・・通信手段、１４・・・画像処理手段、１５・・・音声処理手段、１６・・・記憶手段、１７・・・撮像手段、１８・・・音声入出力手段、１９・・・指示入力手段、２１・・・表示手段、２２・・・親子機間送受信手段、２３・・・撮像手段、２４・・・音声入出力手段、２５・・・呼出手段、３１・・・表示手段、３２・・・撮像手段、３３・・・音声入出力手段、３４・・・通信手段、３５・・・携帯電話機能部
【図１】
2006319618.tif 000003
【図２】
2006319618.tif 000004
【図３】
2006319618.tif 000005
【図４】
2006319618.tif 000006
【図５】
2006319618.tif 000007
【図６】
2006319618.tif 000008